(57)【特許請求の範囲】
【請求項１】
底部と、底部にヒンジ連結された長いヒンジ部材を有する長側壁と、同じく底部にヒンジ連結された短いヒンジ部材を有する長側壁と、底部にヒンジ連結された相対する短側壁とを有するとともに、箱型に組み立てられた状態から、先ず最初に、相対する短側壁を、互いに重ならないように、底部に重なるように倒し、次いで、長いヒンジ部材を有する長側壁を、底部に重ねられた短側壁の上に重なるように倒し、その後、短いヒンジ部材を有する長側壁を、先に倒された長いヒンジ部材を有する長側壁と部分的に重なるように倒すことにより、折り畳み可能な折り畳みコンテナーにおいて、前記長いヒンジ部材を有する長側壁の略全高に亘たって配設された係合枠部の中央領域には、内側凹部及び該内側凹部と背中合わせに対峙するように外側凹部が形成されているとともに、前記短いヒンジ部材を有する長側壁の略全高に亘たって配設された係合枠部の中央領域には、内側凹部のみが形成されており、折り畳みコンテナーが箱型に組み立てられた際には、前記相対する短側壁に配設された係合枠部の中央嵌合ブロックが、前記長いヒンジ部材を有する長側壁に配設された係合枠部の内側凹部及び前記短いヒンジ部材を有する長側壁に配設された係合枠部の内側凹部にそれぞれ嵌合され、また、折り畳みコンテナーが折り畳まれた際には、先に倒された長いヒンジ部材を有する長側壁に配設された係合枠部に形成された外側凹部に、後から倒される短いヒンジ部材を有する長側壁に配設された係合枠部の内側凹部より上方に位置する部分が嵌合するように構成されているとともに、前記先に倒された長いヒンジ部材を有する長側壁の上部水平枠と前記底部の長辺側土手部との間に形成された間隙には、前記短いヒンジ部材を有する長側壁に配設された係合枠部の内側凹部より下方に位置する部分が入り込むように構成されており、更に、前記長いヒンジ部材を有する長側壁の内面の両端部及び前記短いヒンジ部材を有する長側壁の内面の両端部には、それぞれ、縦長の帯状凸条が形成されており、且つ、前記短側壁の幅が、略垂直立てられた相対する長側壁の前記縦長の帯状凸条が形成されていない内面間の間隔より狭く形成されていることを特徴とする折り畳みコンテナー。
【請求項２】
相対する長側壁のうち、最初に倒される長側壁に、識別部材を配設したことを特徴とする請求項１に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部の相対する長辺部に、ヒンジ部を介して連結された長側壁と、同じく上記底部の相対する短辺部に、ヒンジ部を介して連結された短側壁とからなり、底部に対して略垂直に長側壁と短側壁を立てることにより、箱型に組み立てられ、また、折り畳む際には、先ず最初に、相対する短側壁を、底部に重なるように倒し、その後、相対する長側壁を、底部に重ねられた短側壁の上に重ねるようにして折り畳むようにした折り畳みコンテナーが知られている。
【０００３】
【発明が解決しようとする課題】
上述した従来の折り畳みコンテナーにおいて、内容積を拡大するために、箱型に組み立てられた折り畳みコンテナーの高さを高くした場合、換言すれば、短側壁及び長側壁の高さを高くした場合には、箱型に組み立てられた状態から、最初に倒される短側壁は、短側壁同士が、互いに重なることなく、底部の上に重ねられるが、後から倒される長側壁の場合には、長側壁同士が、部分的に互いに重なることになり、この長側壁同士の重なりにより、折り畳み時の折り畳みコンテナーの高さが高くなり、折り畳まれた状態の折り畳みコンテナーの保管効率が悪いという問題があった。
【０００４】
本発明の目的は、上述した従来の折り畳みコンテナーが有する課題を解決するとともに、折り畳み作業の作業性の向上した折り畳みコンテナーを提供することにある。
【０００５】
【課題を解決するための手段】
本発明は、上述した目的を達成するために、底部と、底部にヒンジ連結された長いヒンジ部材を有する長側壁と、同じく底部にヒンジ連結された短いヒンジ部材を有する長側壁と、底部にヒンジ連結された相対する短側壁とを有するとともに、箱型に組み立てられた状態から、先ず最初に、相対する短側壁を、互いに重ならないように、底部に重なるように倒し、次いで、長いヒンジ部材を有する長側壁を、底部に重ねられた短側壁の上に重なるように倒し、その後、短いヒンジ部材を有する長側壁を、先に倒された長いヒンジ部材を有する長側壁と部分的に重なるように倒すことにより、折り畳み可能な折り畳みコンテナーにおいて、第１には、前記長いヒンジ部材を有する長側壁の略全高に亘たって配設された係合枠部の中央領域には、内側凹部及び該内側凹部と背中合わせに対峙するように外側凹部が形成されているとともに、前記短いヒンジ部材を有する長側壁の略全高に亘たって配設された係合枠部の中央領域には、内側凹部のみが形成されており、折り畳みコンテナーが箱型に組み立てられた際には、前記相対する短側壁に配設された係合枠部の中央嵌合ブロックが、前記長いヒンジ部材を有する長側壁に配設された係合枠部の内側凹部及び前記短いヒンジ部材を有する長側壁に配設された係合枠部の内側凹部にそれぞれ嵌合され、また、折り畳みコンテナーが折り畳まれた際には、先に倒された長いヒンジ部材を有する長側壁に配設された係合枠部に形成された外側凹部に、後から倒される短いヒンジ部材を有する長側壁に配設された係合枠部の内側凹部より上方に位置する部分が嵌合するように構成されているとともに、前記先に倒された長いヒンジ部材を有する長側壁の上部水平枠と前記底部の長辺側土手部との間に形成された間隙には、前記短いヒンジ部材を有する長側壁に配設された係合枠部の内側凹部より下方に位置する部分が入り込むように構成されており、更に、前記長いヒンジ部材を有する長側壁の内面の両端部及び前記短いヒンジ部材を有する長側壁の内面の両端部には、それぞれ、縦長の帯状凸条が形成されており、且つ、前記短側壁の幅を、略垂直立てられた相対する長側壁の前記縦長の帯状凸条が形成されていない内面間の間隔より狭く形成したものであり、第２には、相対する長側壁のうち、最初に倒される長側壁に、識別部材を配設したものである。
【０００６】
【実施例】
以下に、本発明の実施例について説明するが、本発明の趣旨を越えない限り何ら、本実施例に限定されるものでない。
【０００７】
本発明の折り畳みコンテナーは、平面形状が略長方形状の底部１と、底部１の長辺側土手部１ａに、後述するようにヒンジ連結された長側壁２と、底部１の短辺側土手部１ｂに、後述するようにヒンジ連結された短側壁３とから構成されており、長側壁２が連結された長辺側土手部１ａの高さは、短側壁３が連結された短辺側土手部１ｂの高さより、高く構成されている。
【０００８】
図１に示されているように、箱型に組み立てられた状態の折り畳みコンテナーを折り畳むには、先ず最初に、底部１の相対する短辺側土手部１ｂにヒンジ連結された短側壁３を、折り畳みコンテナーの内側に倒して、図２に示されているように、底部１の上に重ねる。次いで、底部１の相対する長辺側土手部１ａにヒンジ連結された長側壁２を、同じく、折り畳みコンテナーの内側に倒して、図３に示されているように、短側壁３の上に重ねて折り畳む。逆に、図３に示されている折り畳まれた状態から、図１に示されているように箱型に組み立てるには、短側壁３の上に重ねられた状態の長側壁２を略垂直に立て、次いで、短側壁３を略垂直に立てて、折り畳みコンテナーを組み立てる。
【０００９】
次に、図４及び図５を用いて、底部１につて説明する。
【００１０】
上述したように、底部１は、平面形状が略長方形状に形成されており、底部１の相対する長辺部には、長辺側土手部１ａが、また、相対する短辺部には、長辺側土手部１ａと同じ高さに、短辺側土手部１ｂが形成されている。
【００１１】
長辺側土手部１ａには、長辺側土手部１ａの天板１ａ１から、下方に延在する縦孔部１ｃ１が形成されているとともに、長辺側土手部１ａの相対する内側部には、縦孔部１ｃ１の中央部に連通する開口部１ｃ２が形成されており、縦孔部１ｃ１と縦孔部１ｃ１の中央部に連通する開口部１ｃ２とにより、後述する長側壁２に形成された雄ヒンジ部材が挿入可能な雌ヒンジ空間部１ｃが形成されている。開口部１ｃ２の両側には、張り出し壁部１ｄが形成されており、また、縦孔部１ｃ１の横幅（長辺側土手部１ａの長手方向に沿った長さ）ｗ１は、開口部１ｃ２の横幅（長辺側土手部１ａの長手方向に沿った長さ）、換言すれば、張り出し壁部１ｄ間の距離ｗ２より、幅広に形成されている。また、開口部１ｃ２の両側に形成された張り出し壁部１ｄの内面の下部には、張り出し壁部１ｄに対して、略垂直方向に延在するフック１ｅが形成されている。
【００１２】
１ｆは、雌ヒンジ空間部１ｃを構成する底板であり、後述する理由により、相対する長辺側土手部１ａのうち、一方の長辺側土手部１ａに形成された雌ヒンジ空間部１ｃを構成する底板１ｆと、もう一方の長辺側土手部１ａに形成された雌ヒンジ空間部１ｃを構成する底板１ｆとの高さが異なるように構成されている。本実施例においては、図４において、左側に位置する長辺側土手部１ａに形成された雌ヒンジ空間部１ｃを構成する底板１ｆが、右側に位置するもう一方の長辺側土手部１ａに形成された雌ヒンジ空間部１ｃを構成する底板１ｆより低く形成されている。換言すれば、左側に位置する長辺側土手部１ａに形成された雌ヒンジ空間部１ｃの深さ（長辺側土手部１ａの天板１ａ１から、底板１ｆまでの距離）が、右側に位置するもう一方の長辺側土手部１ａに形成された雌ヒンジ空間部１ｃの深さより深く形成されている。また、開口部１ｃ２の両側に形成された張り出し壁部１ｄの内面に突設されたフック１ｅと底板１ｆとの間に形成される空間には、後述する長側壁２に形成された雄ヒンジ部材のヒンジブロックが装着されるように構成されている。
【００１３】
上述した縦孔部１ｃ１と縦孔部１ｃ１の中央部に連通する開口部１ｃ２とからなる雌ヒンジ空間部１ｃは、長辺側土手部１ａの長手方向に沿って、所定の間隔で形成されており、本実施例においては、一例として、各長辺側土手部１ａに、それぞれ、７個の雌ヒンジ空間部１ｃが形成されている。
【００１４】
長辺側土手部１ａより、高さの低い短辺側土手部１ｂにも、上述した長辺側土手部１ａに形成された雌ヒンジ空間部１ｃと同様の雌ヒンジ空間部１ｃが形成されている。本実施例においては、短辺側土手部１ｂに形成された雌ヒンジ空間部１ｃの底板１ｆは、底部１の上面１ｇと面一に形成されている。短辺側土手部１ｂに形成された雌ヒンジ空間部１ｃの場合には、フック１ｅは、張り出し壁部１ｄの上端部に形成されている。短辺側土手部１ｂに形成された雌ヒンジ空間部１ｃも、短辺側土手部１ｂの長手方向に沿って、所定の間隔で形成されており、本実施例においては、一例として、各短辺側土手部１ｂに、それぞれ、３個の雌ヒンジ空間部１ｃが形成されている。また、開口部１ｃ２の両側に形成された張り出し壁部１ｄの内面に突設されたフック１ｅと底板１ｆとの間に形成される空間には、後述する短側壁３に形成された雄ヒンジ部材のヒンジブロックが装着されるように構成されている。
【００１５】
次に、図６〜図９を用いて、長側壁２について説明するが、長側壁２は、底部１の相対する長辺側土手部１ａに形成された雌ヒンジ空間部１ｃのうち、上述した深さの深い雌ヒンジ空間部１ｃ（図４において、左側に位置する長辺側土手部１ａに形成された雌ヒンジ空間部）に挿入される雄ヒンジ部材を有する長側壁２と、上述した深さの浅い雌ヒンジ空間部１ｃ（図４において、右側に位置する長辺側土手部１ａに形成された雌ヒンジ空間部）に挿入される雄ヒンジ部材を有する長側壁２とは、その構成が一部異なっている。以下の説明においては、便宜的に、深さの深い雌ヒンジ空間部１ｃ（図４において、左側に位置する長辺側土手部１ａに形成された雌ヒンジ空間部）に挿入される雄ヒンジ部材を有する長側壁を、長いヒンジ部材を有する長側壁と称し、符号２’を使用し、深さの浅い雌ヒンジ空間部１ｃ（図４において、右側に位置する長辺側土手部１ａに形成された雌ヒンジ空間部）に挿入される雄ヒンジ部材を有する長側壁を、短いヒンジ部材を有する長側壁と称し、符号２”を使用する。
【００１６】
先ず最初に、図６及び図７を用いて、長いヒンジ部材を有する長側壁２’について説明する。
【００１７】
長いヒンジ部材を有する長側壁２’は、横長の板状部２ａと、板状部２ａの上下端から、同方向に、水平方向に延在する上部水平枠２ｂと下部水平枠２ｃとを有している。また、板状部２ａの左右端からは、上部水平枠２ｂ及び下部水平枠２ｃとは、反対方向に延在する縦長の帯状の係合枠部２ｄが、板状部２ａに対して略直角に形成されている。係合枠部２ｄの中央領域には、係合枠部２ｄの先端側から凹んだ内側凹部２ｄ１が形成されているとともに、係合枠部２ｄの上部水平枠２ｂ及び下部水平枠２ｃ側には、内側凹部２ｄ１と背中合わせに対峙するように、外側凹部２ｄ２が形成されている。また、内側凹部２ｄ１を挟んで位置する係合枠部２ｄには、適当数の嵌合孔２ｄ３が形成されている。
【００１８】
長いヒンジ部材を有する長側壁２’の下部水平枠２ｃには、下部水平枠２ｃに沿った断面形状が、略コの字状の支持枠ｈ１が垂設されており、支持枠ｈ１を構成する相対する側部（板状部２ａに対して直角な側部）ｈ１ａの下端部には、互いに反対方向に延在するとともに、側部ｈ１ａの横幅方向に偏平なヒンジブロックｈ１ｂが、側部ｈ１ａに対して直角方向に突設されている。上記の支持枠ｈ１とヒンジブロックｈ１ｂとにより、雄ヒンジ部材Ｈ１が構成されている。雄ヒンジ部材Ｈ１は、上述した底部１の長辺側土手部１ａに形成された雌ヒンジ空間部１ｃに対応して形成されており、本実施例においては、底部１の長辺側土手部１ａに形成された７個の雌ヒンジ空間部１ｃに対応して、７個の雄ヒンジ部材Ｈ１が形成されている。支持枠ｈ１の長さは、底部１の相対する長辺側土手部１ａに形成された雌ヒンジ空間部１ｃのうち、上述した深さの深い雌ヒンジ空間部１ｃ（図４において、左側に位置する長辺側土手部１ａに形成された雌ヒンジ空間部）の深さと略同じになるように構成されており、また、支持枠ｈ１の横幅（下部水平枠２ｃの長手方向に沿った幅）ｗ３は、雌ヒンジ空間部１ｃの開口部１ｃ２の横幅ｗ２より狭く形成されており、支持枠ｈ１が、開口部１ｃ２に挿入可能なように構成されている。なお、２ｆは、長いヒンジ部材を有する長側壁２’の適当な箇所に、適当数、形成された縦リブであり、また、２ｇは、同じく、長いヒンジ部材を有する長側壁２’の適当な箇所に、適当数、形成された横リブであり、上部水平枠２ｂ及び下部水平枠２ｃと同じ方向に突設されている。
【００１９】
長いヒンジ部材を有する長側壁２’の上部水平枠２ｂの適当な箇所には、長いヒンジ部材を有する長側壁２’と短いヒンジ部材を有する長側壁２”とを識別するための識別部材２ｈとしての識別孔が形成されている。長いヒンジ部材を有する長側壁２’と短いヒンジ部材を有する長側壁２”とを識別するための識別部材２ｈとしては、上記の透孔に限らず、上部水平枠２ｂの上面等に着色を施したり、着色されたラベルを貼着したり、或いは、上部水平枠２ｂの上面に形成された凹部に、着色された板盤を嵌着する等の種々の識別手段を採用することができる。
【００２０】
４は、長いヒンジ部材を有する長側壁２’に配設された係合枠部２ｄ付近の長側壁２の板状部２ａに形成された弾性舌片であり、弾性舌片４は、板状部２ａに、コの字状のスリット２ｉを形成することにより形成され、弾性舌片４の先端部が、係合枠部２ｄ側に位置するように構成されている。弾性舌片４の先端部には、長側壁２の板状部２ａの内面（折り畳みコンテナーを箱型に組みたてた際に、折り畳みコンテナーの内側に位置する面）２ａ１を越えて内側に突出した突出部４ａが形成されており、突出部４ａは、係合枠部２ｄに略平行な係止端面４ａ１と、係止端面４ａ１から板状部２ａの内面２ａ１方向に向かって傾斜した傾斜面４ａ２とを有している。また、長側壁２の板状部２ａの内面２ａ１の両端部には、上下方向に延在する縦長の帯状凸条５が形成されている。
【００２１】
次に、図８及び図９を用いて、短いヒンジ部材を有する長側壁２”について説明する。以下に、説明する以外の構成については、上述した長いヒンジ部材を有する長側壁２’と同じであるので、長いヒンジ部材を有する長側壁２’と同じ構成については、同じ符号を使用するとともに、その詳細な説明は省略する。
【００２２】
上述した長いヒンジ部材を有する長側壁２’と同様に、短いヒンジ部材を有する長側壁２”に形成された係合枠部２ｄの中央領域にも、内側凹部２ｄ１が形成されているが、短いヒンジ部材を有する長側壁２”には、長いヒンジ部材を有する長側壁２’の係合枠部２ｄに形成されている外側凹部２ｄ２は形成されていない。また、短いヒンジ部材を有する長側壁２”の下部水平枠２ｃにも、支持枠ｈ１とヒンジブロックｈ１ｂとからなる雄ヒンジ部材Ｈ２が配設されており、上述した長いヒンジ部材を有する長側壁２’の下部水平枠２ｃに配設された雄ヒンジ部材Ｈ１の支持枠ｈ１に比べて、支持枠ｈ１の長さが短い以外は、同じ構成を有している。雄ヒンジ部材Ｈ２の支持枠ｈ１の長さは、底部１の相対する長辺側土手部１ａに形成された雌ヒンジ空間部１ｃのうち、上述した深さの浅い雌ヒンジ空間部１ｃ（図４において、右側に位置する長辺側土手部１ａに形成された雌ヒンジ空間部）の深さと略同じになるように構成されている。上記の係合枠部２ｄに外側凹部２ｄ２が形成されていない点及び雄ヒンジ部材Ｈ１の支持枠ｈ１に比べて、雄ヒンジ部材Ｈ２の支持枠ｈ１が短い点の２点以外は、長いヒンジ部材を有する長側壁２’と短いヒンジ部材を有する長側壁２”とは同じ構成を有している。
【００２３】
次に、図１０及び図１１を用いて、短側壁３について説明する。
【００２４】
短側壁３は、板状部３ａと、板状部３ａの上下端から、同方向に、水平方向に延在する上部水平枠３ｂと下部水平枠３ｃとを有しており、更に、板状部３ａの左右端部付近には、上部水平枠３ｂの両端部と下部水平枠３ｃの両端部を連結する垂直枠３ｄが形成されている。垂直枠３ｄの外側に位置する板状部３ａの縦長の帯状部には、係合枠部３ｅが配設されている。係合枠部３ｅには、垂直枠３ｄに沿って突出した嵌合突起３ｅ１が突設されており、嵌合突起３ｅ１は、折り畳みコンテナーが箱型に組み立てられた際には、長いヒンジ部材を有する長側壁２’と短いヒンジ部材を有する長側壁２”に、それぞれ配設された係合枠部２ｄに形成された嵌合孔２ｄ３に嵌合されるように構成されている。また、垂直枠３ｄの中央領域には、中央嵌合ブロック３ｅ２が形成されており、更に、垂直枠３ｄの下部水平枠３ｃ寄りには、下部嵌合ブロック３ｅ３が形成されている。そして、図１に示されているように、折り畳みコンテナーが箱型に組み立てられた際には、中央嵌合ブロック３ｅ２は、長いヒンジ部材を有する長側壁２’と短いヒンジ部材を有する長側壁２”に、それぞれ形成された係合枠部２ｄの内側凹部２ｄ１に嵌合されるように構成されており、また、下部嵌合ブロック３ｅ３には、長いヒンジ部材を有する長側壁２’と短いヒンジ部材を有する長側壁２”に、それぞれ形成された係合枠部２ｄの下端が、当接或いは接近するように構成されている。
【００２５】
短側壁３の下部水平枠３ｃにも、上述した長側壁２’、２”に配設された雄ヒンジ部材Ｈ１、Ｈ２と同様の支持枠ｈ１とヒンジブロックｈ１ｂとからなる雄ヒンジ部材Ｈ３が配設されている。雄ヒンジ部材Ｈ３は、上述した底部１の短辺側土手部１ｂに形成された雌ヒンジ空間部１ｃに対応して形成されており、本実施例においては、底部１の短辺側土手部１ｂに形成された３個の雌ヒンジ空間部１ｃに対応して、３個の雄ヒンジ部材Ｈ３が形成されている。そして、支持枠ｈ１の長さは、底部１の短辺側土手部１ｂに形成された雌ヒンジ空間部１ｃの深さと略同じになるように構成されており、また、上述したと同様に、支持枠ｈ１の横幅（下部水平枠２ｃの長手方向に沿った幅）ｗ３は、雌ヒンジ空間部１ｃの開口部１ｃ２の横幅ｗ２より狭く形成されており、支持枠ｈ１が、開口部１ｃ２に挿入可能なように構成されている。なお、３ｆは、短側壁３の板状部３ａの適当な箇所に、適当数、形成された縦リブであり、また、３ｇは、同じく、板状部３ａの適当な箇所に、適当数、形成された横リブであり、上部水平枠３ｂや下部水平枠３ｃや垂直枠３ｄと同じ方向に突設されている。なお、相対する一対の短側壁３同士は、同一の構成を有している。
【００２６】
次に、図１２及び図１３を用いて、底部１と短側壁３の組み立てについて説明する。
【００２７】
底部１と短側壁３とをヒンジ連結するには、図１２に示されているように、略水平状態に短側壁３を配置し、短側壁３に配設されたヒンジ部材Ｈ３を構成する支持枠ｈ１に突設された偏平なヒンジブロックｈ１ｂを縦長の略垂直状態にする。その後、短側壁３を、底部１に向かって下降させて、ヒンジ部材Ｈ３の支持枠ｈ１の先端部及びヒンジブロックｈ１ｂを、底部１の短辺側土手部１ｂに形成された雌ヒンジ空間部１ｃを構成する縦孔部１ｃ１に挿入するとともに、ヒンジ部材Ｈ３の支持枠ｈ１の先端部を、雌ヒンジ空間部１ｃを構成する開口部１ｃ２に挿入する。その後、略水平状態の短側壁３を、垂直方向に回動させて、略垂直に立てると、図１３に示されているように、雌ヒンジ空間部１ｃ内に位置する偏平なヒンジブロックｈ１ｂは、縦長状態から横長状態になる。そして、略垂直状態の短側壁３が、上方に移動しようとしても、横長状態の偏平なヒンジブロックｈ１ｂが、開口部１ｃ２の両側に形成された張り出し壁部１ｄの内面の上端部に形成されたフック１ｅに当接するように構成されているので、ヒンジブロックｈ１ｂが、雌ヒンジ空間部１ｃから抜け出るようなことがないので、略垂直状態の短側壁３と底部１との雄ヒンジ部材Ｈ３と雌ヒンジ空間部１ｃとによるヒンジ連結が解除されるようなことがない。このように、開口部１ｃ２の両側に形成された張り出し壁部１ｄの内面に突設されたフック１ｅと底板１ｆとの間に形成される空間に、雄ヒンジ部材Ｈ３のヒンジブロックｈ１ｂが装着されるように構成されている。なお、短側壁３が、略垂直に立てられた際には、短側壁３の下部水平枠３ｃが、短辺側土手部１ｂの天板１ｂ１に載置或いは実質的に載置されるように構成されている。
【００２８】
次に、図１４及び図１５を用いて、底部１と長側壁２’、２”の組み立てについて説明する。長いヒンジ部材を有する長側壁２’と底部１との組み立ても、短いヒンジ部材を有する長側壁２”と底部１との組み立ても、同じであるので、以下においては、長いヒンジ部材を有する長側壁２’と底部１との組み立てについて説明する。
【００２９】
底部１と長側壁２’とをヒンジ連結するには、図１４に示されているように、略水平状態に長側壁２’を配置し、長側壁２’に配設されたヒンジ部材Ｈ１を構成する支持枠ｈ１に突設された偏平なヒンジブロックｈ１ｂを縦長の略垂直状態にする。その後、長側壁２’を、底部１に向かって下降させて、ヒンジ部材Ｈ１の支持枠ｈ１の先端部及びヒンジブロックｈ１ｂを、底部１の長辺側土手部１ａに形成された雌ヒンジ空間部１ｃを構成する縦孔部１ｃ１に挿入するとともに、ヒンジ部材Ｈ１の支持枠ｈ１の先端部を、雌ヒンジ空間部１ｃを構成する開口部１ｃ２に挿入する。その後、略水平状態の長側壁２を、垂直方向に回動させて、略垂直に立てると、図１５に示されているように、雌ヒンジ空間部１ｃ内の開口部１ｃ２の両側に形成された張り出し壁部１ｄの内面に突設されたフック１ｅと底板１ｆとの間に形成される空間に位置する偏平なヒンジブロックｈ１ｂは、縦長状態から横長状態になる。そして、略垂直状態の長側壁２が、上方に移動しようとしても、横長状態の偏平なヒンジブロックｈ１ｂが、フック１ｅに当接するように構成されているので、ヒンジブロックｈ１ｂが、雌ヒンジ空間部１ｃから抜け出るようなことがないので、略垂直状態の長側壁２と底部１との雄ヒンジ部材Ｈ１と雌ヒンジ空間部１ｃとによるヒンジ連結が解除されるようなことがない。また、長側壁２が、略垂直に立てられた際には、長側壁２の下部水平枠２ｃが、長辺側土手部１ａの天板１ａ１に載置或いは実質的に載置されるように構成されている。
【００３０】
図３に示されているように、折り畳みコンテナーがコンパクトに折り畳まれた状態から、図１に示されているように、折り畳みコンテナーを箱型に組み立てるには、先ず最初に、最後に倒され、長いヒンジ部材を有する長側壁２’に、部分的に重ねられた状態の短いヒンジ部材を有する長側壁２”を、垂直方向に回動させて、略垂直に立てて、短いヒンジ部材を有する長側壁２”の下部水平枠２ｃを、底部１の長辺側土手部１ａの天板１ａ１に載置或いは実質的に載置する。次いで、短側壁３の上に重ねられた状態の長いヒンジ部材を有する長側壁２’を、同様に、垂直方向に回動させて、略垂直に立てて、長いヒンジ部材を有する長側壁２’の下部水平枠２ｃを、底部１の長辺側土手部１ａの天板１ａ１に載置或いは実質的に載置する。
【００３１】
次いで、底部１に重ねられた一対の短側壁３の何れか一方を、垂直方向に回動させることになるが、本実施例においては、短側壁３の係合枠部３ｅを含む全幅ｗ４が、略垂直に立てられた相対する長側壁２’、２”の帯状凸条５が形成されていない内面２ａ１間の間隔ｗ５より狭く形成されているので、折り畳まれた状態の折り畳みコンテナーの箱型への組み立て作業において、略垂直に立てられた長側壁２’、２”に次いで、底部１の上に重ねられている短側壁３を、垂直方向に回動させる際に、短側壁３の両側面３ｈが、長側壁２’、２”に形成された帯状凸条５に当接するまでは、長側壁２’、２”の内面２ａ１に接触するようなことが実質的に無くなり、従って、短側壁３の垂直方向への回動作業を円滑に行うことができる。また、箱型に組み立てられた折り畳みコンテナーの折り畳み作業の際にも、最初に倒される短側壁３の両側面３ｈが、一旦、長側壁２’、２”に形成された帯状凸条５から外れた後は、短側壁３の両側面３ｈが、長側壁２’、２”の内面２ａ１に接触するようなことが実質的に無いので、従って、短側壁３の底部１方向への回動作業を円滑に行うことができる。
【００３２】
短側壁３が、略垂直に立てられる直前において、短側壁３の両側面３ｈが、長側壁２’、２”に形成された弾性舌片４の傾斜面４ａ２に当接するので、短側壁３は、弾性舌片４を、弾性舌片４の弾性力に抗して、外側に拡張させながら、垂直方向に回動するとともに、短側壁３に配設された係合枠部３ｅの嵌合突起３ｅ１が、長側壁２’、２”に配設された係合枠部２ｄの嵌合孔２ｄ３に挿入され、更に、短側壁３に配設された中央嵌合ブロック３ｅ２が、長側壁２’、２”に形成された内側凹部２ｄ１に嵌合される。そして、短側壁３が、略垂直に立てられた状態では、短側壁３の両側面３ｈが、長側壁２’、２”に形成された弾性舌片４から外れるので、弾性舌片４は、その弾性力により、突出部４ａが、内面２ａ１を越えて内側に突出した元の位置に戻り、弾性舌片４の突出部４ａが、短側壁３の板状部３ａの内面３ａ１の背後に位置することになる。従って、短側壁３が、底部１方向に回動しようとしても、短側壁３の内面３ａ１が、長側壁２’、２”に形成された弾性舌片４の突出部４ａに当接し、短側壁３が、簡単には、底部１方向に倒れないように構成されている。また、短側壁３が、略垂直に立てられた状態においては、短側壁３の両側面３ｈが、長側壁２’、２”に形成された帯状凸条５に乗り上げるように構成されているので、短側壁３の両側面３ｈと長側壁２’、２”の内面２ａ１との間に、間隙が形成されて、この間隙に、箱型に組み立てられた折り畳みコンテナーに収容された物品が入り込むようなことが防止できる。
【００３３】
図１に示されているように、箱型に組み立てられた折り畳みコンテナーを、図３に示されているように、コンパクトに折り畳むには、先ず最初に、長側壁２’、２”に形成された弾性舌片４を、弾性舌片４の弾性力に抗して、外側に拡張して、長側壁２’、２”に形成された弾性舌片４の突出部４ａを、短側壁３の内面３ａ１から外し、その後、相対する短側壁３を、底部１方向に回動させて、底部１に重ねる。底部１に重ねられた短側壁３同士は、互いに重ならないように構成されている。
【００３４】
次いで、上部水平枠２ｂに識別部材２ｈが配設された長いヒンジ部材を有する長側壁２’を、底部１方向に回動させて、底部１に重ねられた短側壁３の上に重ねる。このように、最初に倒す長いヒンジ部材を有する長側壁２’には、識別部材２ｈが配設されているので、誤って、後から倒す短いヒンジ部材を有する長側壁２”を、長いヒンジ部材を有する長側壁２’の前に倒すようなトラブルを防止することができる。このように、長いヒンジ部材を有する長側壁２’を倒した後、短いヒンジ部材を有する長側壁２”を、底部１方向に回動させて、短側壁３に重ねられた長いヒンジ部材を有する長側壁２’の上に重ねるが、最初に倒す長いヒンジ部材を有する長側壁２’の雄ヒンジ部材Ｈ１の回動支点となる支持枠ｈ１の下端部は、後から倒す短いヒンジ部材を有する長側壁２”の雄ヒンジ部材Ｈ１の回動支点となる支持枠ｈ１の下端部より低いので、最初に倒された長いヒンジ部材を有する長側壁２’に重ねられる、後から倒される短いヒンジ部材を有する長側壁２”が傾斜するようなことなく、図１６及び図１７に示されているように、略水平状態に倒されるので、図３に示されているような折り畳まれた状態の折り畳みコンテナーの全体の高さを低くすることができる。また、図１７に示されているように、先に倒された長いヒンジ部材を有する長側壁２’に配設された係合枠部２ｄに形成された外側凹部２ｄ２には、後から倒される短いヒンジ部材を有する長側壁２”に配設された係合枠部２ｄの内側凹部２ｄ１より上方に位置する部分２ｄ’が嵌合するように構成されており、また、内側凹部２ｄ１より下方に位置する部分２ｄ”は、先に倒された長いヒンジ部材を有する長側壁２’には重ならずに、先に倒された長いヒンジ部材を有する長側壁２’の上部水平枠２ｂと底部１の長辺側土手部１ａとの間に形成された間隙に入り込むように構成されているので、折り畳まれた状態の折り畳みコンテナーの全体の高さを、より低くすることができる。
【００３５】
本実施例においては、長側壁２’、２”の板状部２ａに対して略直角に延在する係合枠部２ｄは、内側凹部２ｄ１や外側凹部２ｄ２を除いて、長側壁２’、２”の略全高に亘たって延在しているので、係合枠部が、長側壁の上部にのみ形成されている従来の折り畳みコンテナーに比べて、長側壁２’、２”の強度、ひいては、折り畳みコンテナーの強度が向上することになる。
【００３６】
また、上述したように、相対する長側壁２’、２”のうち、略垂直状態から先に倒される長側壁２’の底部１とのヒンジ部の回動中心を、略垂直状態から後に倒される長側壁２”の底部１とのヒンジ部の回動中心より、低く構成したことにより、先に倒される長側壁２’と部分的に重なる、後に倒される長側壁２”を、略水平状態に倒すことができ、従って、折り畳まれた状態の折り畳みコンテナーの全体の高さを低くすることができ、折り畳まれた状態の折り畳みコンテナーの保管効率を向上することができる。
【００３７】
更に、先に倒される長いヒンジ部材を有する長側壁２’に配設された係合枠部２ｄ及び先に倒される長いヒンジ部材を有する長側壁２’の上部水平枠２ｂと底部１の長辺側土手部１ａとの間には、それぞれ、後から倒される短いヒンジ部材を有する長側壁２”に配設された係合枠部２ｄが嵌合可能な外側凹部２ｄ２及び間隙を形成したので、折り畳まれた状態の折り畳みコンテナーの全体の高さを、より低くすることができ、従って、折り畳まれた状態の折り畳みコンテナーの保管効率を、より向上することができる。
【００３８】
上述したように、長側壁２’、２”の板状部２ａの内面２ａ１の両端部に、上下方向に延在する縦長の帯状凸条５が形成されている場合に、図３及び図１７に示されているように、長側壁２’、２”が部分的に互いに重なるように折り畳んだ際には、後から倒される短いヒンジ部材を有する長側壁２”の板状部２ａの内面２ａ１に形成された帯状凸条５が、先に倒された長いヒンジ部材を有する長側壁２’の係合枠部２ｄや縦リブ２ｆや横リブ２ｇに当接し、折り畳み高さが、帯状凸条５の厚みｄ１だけ高くなるので、このような場合には、先に倒された長いヒンジ部材を有する長側壁２’の係合枠部２ｄや縦リブ２ｆや横リブ２ｇの、後から倒される短いヒンジ部材を有する長側壁２”に形成された帯状凸条５が当接する部分には、切り込み部や切り込み凹部を形成する。このようような切り込み部や切り込み凹部を形成することにより、折り畳まれた状態の折り畳みコンテナーの全体の高さを、更に低くすることができ、従って、折り畳まれた状態の折り畳みコンテナーの保管効率を、更に向上することができる。
【００３９】
【発明の効果】
本発明は、以上説明した構成を有しているので、以下に記載する効果を奏するものである。
【００４０】
長側壁の略全高に亘たって配設された係合枠部に、折り畳んだ際に、他方の長側壁に配設された係合枠部が嵌合可能な内側凹部及び外側凹部を形成したので、長側壁の強度、ひいては、折り畳みコンテナーの強度が向上するとともに、折り畳まれた状態の折り畳みコンテナーの全体の高さを低くすることができ、従って、折り畳まれた状態の折り畳みコンテナーの保管効率が向上する。
【００４１】
相対する長側壁の底部に対する回動中心高さを、それぞれ異ならせたので、相対する一対の長側壁のうち、後から倒される長側壁を、略水平状態に倒すことができ、従って、折り畳まれた状態の折り畳みコンテナーの全体の高さをより低くすることができ、折り畳まれた状態の折り畳みコンテナーの保管効率がより向上する。
【００４２】
相対する長側壁のうち、最初に倒される長側壁に、識別部材を配設したので、箱型に組み立てられた折り畳みコンテナーを折り畳む際に、誤って、後から倒すべき長側壁を、先に倒してしまうようなトラブルを防止することができ、従って、折り畳みコンテナーの折り畳み作業の作業性が向上する。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーが折り畳まれた状態の斜視図である。
【図４】図４は本発明の折り畳みコンテナーを構成する底部の斜視図である。
【図５】図５は図４を反対側から見た底部の斜視図である。
【図６】図６は本発明の折り畳みコンテナーを構成する一方の長側壁の斜視図である。
【図７】図７は図６に示されている長側壁を反対側から見た斜視図である。
【図８】図８は本発明の折り畳みコンテナーを構成するもう一方の長側壁の斜視図である。
【図９】図９は図８に示されている長側壁を反対側から見た斜視図である。
【図１０】図１０は本発明の折り畳みコンテナーを構成する短側壁の斜視図である。
【図１１】図１１は図１０に示されている短側壁を反対側から見た斜視図である。
【図１２】図１２は本発明の折り畳みコンテナーを構成する底部と短側壁の組み立てを説明するための底部と短側壁の部分分解斜視図である。
【図１３】図１３は本発明の折り畳みコンテナーを構成する底部と短側壁とが組み立てられた状態の底部と短側壁の部分垂直断面図である。
【図１４】図１４は本発明の折り畳みコンテナーを構成する底部と長側壁の組み立てを説明するための底部と長側壁の部分分解斜視図である。
【図１５】図１５は本発明の折り畳みコンテナーを構成する底部と長側壁とが組み立てられた状態の底部と長側壁の部分垂直断面図である。
【図１６】図１６は本発明の折り畳みコンテナーが折り畳まれた状態の垂直断面図である。
【図１７】図１７は本発明の折り畳みコンテナーが折り畳まれた状態の部分斜視図である。
【符号の説明】
Ｈ１、Ｈ２、Ｈ３・・・・・・・雄ヒンジ部材
１・・・・・・・・・・・・・・底部
１ａ・・・・・・・・・・・・・長辺側土手部
１ｂ・・・・・・・・・・・・・短辺側土手部
１ｃ・・・・・・・・・・・・・雌ヒンジ空間部
２、２’、２”・・・・・・・・長側壁
２ｄ・・・・・・・・・・・・・係合枠部
３・・・・・・・・・・・・・・短側壁
３ｅ・・・・・・・・・・・・・係合枠部
４・・・・・・・・・・・・・・弾性舌片
５・・・・・・・・・・・・・・帯状凸条
【図１】
0003944385.tif 000002
【図２】
0003944385.tif 000003
【図３】
0003944385.tif 000004
【図４】
0003944385.tif 000005
【図５】
0003944385.tif 000006
【図６】
0003944385.tif 000007
【図７】
0003944385.tif 000008
【図８】
0003944385.tif 000009
【図９】
0003944385.tif 000010
【図１０】
0003944385.tif 000011
【図１１】
0003944385.tif 000012
【図１２】
0003944385.tif 000013
【図１３】
0003944385.tif 000014
【図１４】
0003944385.tif 000015
【図１５】
0003944385.tif 000016
【図１６】
0003944385.tif 000017
【図１７】
0003944385.tif 000018